(57)【要約】【課題】  ＲＦＩＤタグ情報の検出動作が必要でない場合にも検出動作を実行してしまい、ＲＦＩＤタグ情報の検出動作にかかる消費電力を無駄に使ってしまう。【解決手段】  ＲＦＩＤタグ搭載部品を装着可能な電子機器であって、ＲＦＩＤタグ搭載部品の装着を検出する装着検出手段と、前記装着検出手段によりＲＦＩＤタグ搭載部品の装着が検出された場合に、ＲＦＩＤタグ搭載部品のＲＦＩＤタグ情報を検出するＲＦＩＤタグ情報検出手段とを有することを特徴としている。【選択図】  図１
2006267405.tif 000002
【特許請求の範囲】
【請求項１】
ＲＦＩＤタグ搭載部品を装着可能な電子機器であって、
ＲＦＩＤタグ搭載部品の装着を検出する装着検出手段と、
前記装着検出手段によりＲＦＩＤタグ搭載部品の装着が検出された場合に、ＲＦＩＤタグ搭載部品のＲＦＩＤタグ情報を検出するＲＦＩＤタグ情報検出手段とを有することを特徴とする電子機器。
【請求項２】
前記ＲＦＩＤタグ情報検出手段によって検出したＲＦＩＤタグ搭載部品のＲＦＩＤタグ情報をＲＦＩＤタグ装着情報として記憶する記憶手段を有することを特徴とする請求項１に記載の電子機器。
【請求項３】
前記装着検出手段によりＲＦＩＤタグ搭載部品の非装着を検出した場合に、前記記憶手段に記憶したＲＦＩＤタグ装着情報を削除する制御手段を有することを特徴とする請求項２に記載の電子機器。
【請求項４】
前記ＲＦＩＤタグ情報検出手段によって検出したＲＦＩＤタグ搭載部品のＲＦＩＤタグ情報に基づいて動作シーケンスを変更する制御手段を有することを特徴とする請求項１ないし３に記載の電子機器。
【請求項５】
複数種のＲＦＩＤタグ搭載部品を装着可能な電子機器であって、
複数種のＲＦＩＤタグ搭載部品のＲＦＩＤタグ情報をあらかじめ記憶している記憶手段と、
ＲＦＩＤタグ搭載部品の種類毎にＲＦＩＤタグ搭載部品の装着を検出する複数の装着検出手段と、
前記複数の装着検出手段のいずれかによりＲＦＩＤタグ搭載部品の装着が検出された場合に、ＲＦＩＤタグ搭載部品のＲＦＩＤタグ情報を検出するＲＦＩＤタグ情報検出手段と、
前記記憶手段に記憶されているＲＦＩＤタグ情報から前記ＲＦＩＤタグ情報検出手段によって検出したＲＦＩＤタグ情報を検索する制御手段とを有し、前記制御手段はいずれの装着検出手段にてＲＦＩＤタグ搭載部品の装着を検出したかに応じてＲＦＩＤタグ搭載部品の種類を推定し、検索するＲＦＩＤタグ情報を絞り込むことを特徴とする電子機器。
【請求項６】
ＲＦＩＤタグを搭載したレンズユニットを装着可能なカメラであって、
装着されたレンズユニットを通して測光する測光手段と、
ＲＦＩＤタグ搭載したレンズユニットの装着を検出するレンズ装着検出手段と、
前記レンズ装着検出手段によりＲＦＩＤタグ搭載したレンズユニットの装着が検出された場合に、ＲＦＩＤタグ搭載したレンズユニットのＲＦＩＤタグ情報を検出するＲＦＩＤタグ情報検出手段と、
前記ＲＦＩＤタグ情報検出手段によって検出されたＲＦＩＤタグ搭載したレンズユニットのＲＦＩＤタグ情報に基づいて前記測光手段の測光の補正値を変更する制御手段とを有するカメラ。
【請求項７】
ＲＦＩＤタグを搭載したピント板を装着可能なカメラであって、
装着されたピント板に光を照射するピント板照射手段と、
ＲＦＩＤタグ搭載したピント板の装着を検出するピント板装着検出手段と、
前記ピント板装着検出手段によりＲＦＩＤタグ搭載したピント板の装着が検出された場合に、ＲＦＩＤタグ搭載したピント板のＲＦＩＤタグ情報を検出するＲＦＩＤタグ情報検出手段と、
前記ＲＦＩＤタグ情報検出手段によって検出されたＲＦＩＤタグ搭載したピント板のＲＦＩＤタグ情報に基づいて前記ピント板照射手段による光の照射を行うかどうかを制御する制御手段とを有するカメラ。
【発明の詳細な説明】
【技術分野】
【０００１】
本発明は、特定の信号を発信可能なＲＦＩＤタグを有した部品を着脱可能な電子機器に関する。
【背景技術】
【０００２】
近年、ＲＦＩＤタグという、あらかじめ決められた特定情報が記憶手段に記憶されており、該記憶情報が無線手段で発信できる電気部品の普及が始まった。ＲＦＩＤタグの電源は、ＲＦＩＤタグ情報検出手段から非接触で供給されるので電池は必要無く、小型で、データ書き換えも可能なものもある。決められた特定情報をカメラ本体に伝達する手段としては、大きさ、コスト、と非常に魅力的な電気部品である。
【０００３】
ＲＦＩＤタグ情報検出手段を有した冷蔵庫は、冷蔵庫の扉の開閉検出スイッチ変化を起点にして、ＲＦＩＤタグ情報の読み出しを行っている。すなわち、扉開閉検出スイッチが扉が開いた状態から扉が閉じた状態に変化したことをトリガにして、冷蔵庫内のＲＦＩＤタグ情報の読み出しを行っている。（特許文献１参照）
【特許文献１】特開２００３−０９７８８４号公報
【発明の開示】
【発明が解決しようとする課題】
【０００４】
上述したＲＦＩＤタグ情報検出手段を有した冷蔵庫は、冷蔵庫の扉開閉の際に、実際に物の出し入れが行われたか、出し入れされた物の中にＲＦＩＤタグ付き商品があるかどうかに関わらず、扉の開閉に連動してＲＦＩＤタグ情報の検出動作を実行している。
【０００５】
したがって、ＲＦＩＤタグ情報の検出動作が必要でない場合にも検出動作を実行してしまい、ＲＦＩＤタグ情報の検出動作にかかる消費電力を無駄に使ってしまうという問題がある。
【０００６】
また、検出されるＲＦＩＤタグ情報に応じて、装置の動作シーケンスが変更されるような装置では、ＲＦＩＤタグ情報の検出動作を実行するタイミングを装置の動作シーケンスを考慮して設定する必要がある。
【０００７】
本発明の目的は、このような課題を解決し、適切なタイミングでＲＦＩＤタグ情報の検出動作を実行することにより、無駄なＲＦＩＤタグ情報の検出動作の少ない電子機器を提供することにある。
【課題を解決するための手段】
【０００８】
本発明は、ＲＦＩＤタグ搭載部品を装着可能な電子機器であって、ＲＦＩＤタグ搭載部品の装着を検出する装着検出手段と、前記装着検出手段によりＲＦＩＤタグ搭載部品の装着が検出された場合に、ＲＦＩＤタグ搭載部品のＲＦＩＤタグ情報を検出するＲＦＩＤタグ情報検出手段とを有することを特徴としている。
【０００９】
また、本発明は複数種のＲＦＩＤタグ搭載部品を装着可能な電子機器であって、複数種のＲＦＩＤタグ搭載部品のＲＦＩＤタグ情報をあらかじめ記憶している記憶手段と、ＲＦＩＤタグ搭載部品の種類毎にＲＦＩＤタグ搭載部品の装着を検出する複数の装着検出手段と、前記複数の装着検出手段のいずれかによりＲＦＩＤタグ搭載部品の装着が検出された場合に、ＲＦＩＤタグ搭載部品のＲＦＩＤタグ情報を検出するＲＦＩＤタグ情報検出手段と、前記記憶手段に記憶されているＲＦＩＤタグ情報から前記ＲＦＩＤタグ情報検出手段によって検出したＲＦＩＤタグ情報を検索する制御手段とを有し、前記制御手段はいずれの装着検出手段にてＲＦＩＤタグ搭載部品の装着を検出したかに応じてＲＦＩＤタグ搭載部品の種類を推定し、検索するＲＦＩＤタグ情報を絞り込むことを特徴としている。
【発明の効果】
【００１０】
本発明は、ＲＦＩＤタグ搭載部品の装着を検出することに応じて、ＲＦＩＤタグ搭載部品のＲＦＩＤタグ情報を検出するので、無駄なＲＦＩＤタグ情報の検出動作を少なくすることができる。
【発明を実施するための最良の形態】
【００１１】
図１は、本発明の最良の実施形態であるカメラシステムを表した電気ブロック図である。
【００１２】
１はカメラボディであり、２はカメラボディ１に着脱可能に装着されたレンズユニットである。レンズユニット２は内部にレンズユニット自身の情報が記録されるとともに、この情報を発信可能なＲＦＩＤタグ２ａを具備しており、さらに光学レンズ２ｂや不図示のレンズ駆動手段や絞り手段などを備えている。レンズユニット２がカメラボディ１に装着されると、カメラボディ１に設けられているレンズ装着検出スイッチ（レンズ装着検出ＳＷ）６がオフからオンに変化し、この変化をカメラボディ１の制御手段１２が検出すると、ＲＦＩＤタグ情報検出手段７を制御して装着されたレンズユニット２のＲＦＩＤタグ２ａから発信されているＲＦＩＤタグ情報を受信し、装着されたレンズユニット２のＲＦＩＤタグ情報を検出する。
【００１３】
本実施形態では、レンズユニットにはレンズユニットＡ、レンズユニットＢの２種類があり、レンズユニットＡ、レンズユニットＢのうち、どちらかひとつをカメラボディ１に装着可能である。カメラボディ１は被写体の測光手段１３を有しており、レンズユニットＡがカメラボディ１に装着された場合は、レンズユニットＡのＲＦＩＤタグ情報に基づいて測光手段１３に対して、レンズユニットＡに適する特定の測光値補正を行う。一方、レンズユニットＢがカメラボディ１に装着された場合は、レンズユニットＢのＲＦＩＤタグ情報に基づいて測光手段１３に対して、レンズユニットＢに適する特定の測光値補正を行う。
【００１４】
３はピント板であり、従来の一眼レフカメラと同じように、撮影レンズからの被写体光をピント板に結像させて、ファインダー手段でピント板上の像を撮影者が確認するためのものである。本実施形態のカメラシステムでは、ピント板３が着脱可能に構成されている。
【００１５】
ピント板３は、内部にピント板自身の情報が記録されるとともに、この情報を発信可能なＲＦＩＤタグ３ａを具備しており、ピント板３がカメラボディ１に装着されると、カメラボディ１に設けられているピント板装着検出スイッチ（ピント板装着検出ＳＷ）８がオフからオンに変化し、この変化をカメラボディ１の制御手段１２が検出すると、ＲＦＩＤタグ情報検出手段７を制御して装着されたピント板３のＲＦＩＤタグ３ａから発信されているＲＦＩＤタグ情報を受信し、装着されたピント板３のＲＦＩＤタグ情報を検出する。
【００１６】
このカメラシステムにおいて、ピント板３は撮影目的に応じて複数種類用意され、例えばフォーカスエリアのスーパーインポーズ表示に対応しているピント板Ａ、フォーカスエリアのスーパーインポーズ表示に対応していないピント板Ｂの２種類がある。スーパーインポーズ表示への対応の有無についてはピント板のＲＦＩＤタグ情報に記録されている。ピント板Ａ、ピント板Ｂのうちどちらかひとつカメラボディ１に装着可能である。ピント板Ａがカメラに装着された場合は、ピント板ＡのＲＦＩＤタグ情報に基づいてピント板照射手段１１は、測距動作時にピント板Ａに形成されるスーパーインポーズ表示用のプリズムに向けて光の照射を行う。一方、ピント板Ｂがカメラに装着された場合は、ピント板ＢのＲＦＩＤタグ情報に基づいてピント板照射手段１１は、測距動作時にピント板Ｂへ光の照射を行わない。
【００１７】
４は記憶手段であり、記憶手段４に記憶された情報を制御手段１２へ出力することができるとともに、制御手段１２からの情報を記憶手段４に記憶することができる。
【００１８】
５は撮影手段であり、装着されたレンズユニット２を通して撮影を行うための手段である。例えば、ファインダー手段、露出決定手段、シャッター手段、光電変換手段、信号処理手段、画像処理手段などが撮影手段に相当するが本実施形態では詳細は説明を省略する。
【００１９】
１３は被写体の明るさを測定するための測光手段であり、１４は被写体までの距離を測定するための測距手段、９は電源、１０は撮影手段５からの画像情報を着脱可能な不揮発性記録媒体１５に記録させる画像記録手段、１６はメインスイッチ、１７はレリーズスイッチ、１８は各種スイッチである。
【００２０】
なお、レンズ装着検出ＳＷ６やピント板装着検出ＳＷ８は、メカニカルなスイッチでもよいし、フォトリフレクタ、フォトインタラプタ、など光学的なスイッチであっても構わない。
【００２１】
図２は本実施形態で用いるＲＦＩＤタグ番号表である。本実施形態ではＲＦＩＤタグ番号の一例として、２進数７桁で表現する。本実施形態のＲＦＩＤタグ番号の特徴は、ある特定桁がＲＦＩＤタグ装着部品の大分類（例えばレンズユニット、ピント板といったカメラ部品の大きな分類）を表現し、さらに別の特定桁が、ＲＦＩＤタグ装着部品の詳細な仕様（レンズユニットの種類、ピント板の種類など）や製造番号などを特定可能な番号を表現する点である。特定桁の番号とは、具体的には、カメラボディ１がＲＦＩＤタグ情報として検出する特定の検出順で得られる情報のことである。
【００２２】
カメラボディ１は、記憶手段４にＲＦＩＤタグ情報群として前述のＲＦＩＤタグ番号をあらかじめ全て記憶しており、さらにＲＦＩＤタグ番号に応じた制御手段１２のシーケンスを記憶している。カメラボディ１は、ＲＦＩＤタグ情報検出手段７によって取得した、ＲＦＩＤタグ装着部品からのＲＦＩＤタグ番号情報と、記憶手段４に記憶されているＲＦＩＤタグ情報群を比較することで、装着されたＲＦＩＤタグ装着部品の分類や詳細な仕様を認識し、さらに装着されたＲＦＩＤタグ部品のＲＦＩＤタグ装着情報として記憶手段４に記録する。
【００２３】
本実施形態で用いるＲＦＩＤ装着部品例はピント板とレンズユニットであり、ピント板の場合は先頭３桁の分類番号が０００、レンズユニットの場合の分類番号は００１である。さらに残りの４桁の特定番号が部品そのものの種類を特定する番号になっている。すなわちカメラボディ１は７桁全てのＲＦＩＤ番号を解析することなく、先頭３桁のＲＦＩＤ番号を検出するだけで、ＲＦＩＤタグ装着部品の大分類を特定できるようになる。例えば、ピント板に限ってＲＦＩＤタグ情報が検出したい場合などは、先頭３桁の分類番号０００にあてはまらないＲＦＩＤタグ情報は捨てた上で、下４桁の特定番号００００（ピント板Ａ）なのか０００１（ピント板Ｂ）なのかの判定を行えばよい。カメラに装着されたピント板の分類番号が０００でありながら、特定番号が記憶手段４のＲＦＩＤタグ情報群にない例えば０００２のような場合は、記憶手段４にＲＦＩＤタグ装着情報として００００００２とそのまま記録されるが、ピント板の種類としては認識できないその他として処理される。
【００２４】
図３は本実施形態のメインシーケンスである。
【００２５】
メインスイッチ１６がＯＮされると（ステップ３０２）、制御手段１２はレンズ装着検出ＳＷ６やピント板装着検出ＳＷ８、レリーズスイッチ１７、各種スイッチ１８の受け付けを開始する（ステップ３０３）。これらのスイッチについて変化の検出が確認されるまで検出を繰り返す（ステップ３０４で「Ｎ」）。スイッチの変化が検出された場合（ステップ３０４で「Ｙ」）、レンズ装着検出ＳＷ６の変化検出の場合（ステップ３０５で「Ｙ」）、図４のレンズシーケンスに飛ぶ。ピント板装着検知ＳＷ８の変化検出の場合（ステップ３０６で「Ｙ」）、図５のピント板シーケンスに飛ぶ。レリーズスイッチ１７の変化検出の場合（ステップ３０７で「Ｙ」）、図６のレリーズシーケンスに飛ぶ。その他のスイッチの場合、不図示のシーケンスを行うが説明は割愛する（ステップ３０８）。メインスイッチ１６の変化検出の場合（ステップ３０９で「Ｙ」）、レンズ装着検出ＳＷ６やピント板装着検出ＳＷ８、レリーズスイッチ１７、各種スイッチ１８の受け付けを終了し（ステップ３１０）、シーケンスを終了する（ステップ３１１）。
【００２６】
図４はレンズユニット識別シーケンスである。レンズ装着検出ＳＷ６の変化が検出されると（ステップ３０５で「Ｙ」）、レンズユニット２がカメラボディ１に装着されたのか（レンズ装着検出ＳＷ６のＯＮ信号検出）、レンズユニット２がカメラボディ１から離脱したのか（レンズ装着検出ＳＷ６のＯＦＦ信号検出）を制御手段１２により判断されて、レンズユニット２が装着されたと判断された場合（ステップ４０１で「装着」）、ＲＦＩＤタグ情報検出手段７にてレンズユニット２に関するＲＦＩＤタグ情報の検出を開始する（ステップ４０２）。図２で説明したように、分類番号によるＲＦＩＤタグ情報の層別を行い、レンズユニットに関する先頭３桁００１となっているＲＦＩＤタグ情報だけデータ取得して記憶手段４に一時記憶し、先頭３桁００１にあてはまらないＲＦＩＤタグ情報は全て読み込まないようにしている（ステップ４０３）。取得したレンズユニット２のＲＦＩＤタグ情報と、カメラボディ１があらかじめ記憶手段４に記憶しているＲＦＩＤタグ情報と比較して、取得したＲＦＩＤタグ情報が記憶しているＲＦＩＤタグ情報と一致するかどうかを判定する（ステップ４０５）。取得したＲＦＩＤタグ情報が記憶しているＲＦＩＤタグ情報と一致するものであれば（ステップ４０５で「Ｙ」）、取得したＲＦＩＤタグ情報を装着されたレンズユニットに関するＲＦＩＤタグ装着情報として記憶手段４に記録し（ステップ４０６）、ＲＦＩＤタグ情報検出を終了する（ステップ４０７）。制御手段１２は、記憶手段４に記憶されたレンズユニットに関するＲＦＩＤタグ装着情報をもとに、装着されたレンズユニット２に見合ったのソフト変更を行い（ステップ４０８）図３のメインシーケンスに戻る。装着されたレンズユニット２に見合ったソフト変更とは、測光手段１３からの測光情報を装着されたレンズユニット２の光学性能に適合した値に補正する補正量を変えるような変更を行うことである。
【００２７】
一方、レンズユニット２がカメラボディ１から離脱したと判断された場合は（ステップ４０１で「離脱」）、記憶手段４に記憶されているレンズユニットに関するＲＦＩＤタグ装着情報だけを削除する（ステップ４０９）。このとき、ピント板３の着脱は検出されていないので、ピント板に関するＲＦＩＤタグ装着情報の削除は行わずに図３のメインシーケンスに戻る。
【００２８】
図５はピント板識別シーケンスである。ピント板装着検出ＳＷ８の変化が検出されると（ステップ３０６で「Ｙ」）、ピント板３がカメラボディ１に装着されたのか（ピント板装着検出ＳＷ８のＯＮ信号検出）、ピント板３がカメラボディ１から離脱したのか（ピント板装着検出ＳＷ８のＯＦＦ信号検出）制御手段１２により判断されて、ピント板３が装着されたと判断された場合（ステップ５０１で「装着」）、ＲＦＩＤタグ情報検出手段７にてピント板３に関するＲＦＩＤタグ情報の検出を開始する（ステップ５０２）。図２で説明したように、分類番号によるＲＦＩＤタグ情報の層別を行い、ピント板に関する先頭３桁０００となっているＲＦＩＤタグ情報だけデータ取得して記憶手段４に一時記憶し、先頭３桁０００にあてはまらないＲＦＩＤタグ情報は全て読み込まないようにしている（ステップ５０３）。取得したピント板３のＲＦＩＤタグ情報と、カメラボディ１があらかじめ記憶手段４に記憶しているＲＦＩＤタグ情報と比較して、取得したＲＦＩＤタグ情報が記憶しているＲＦＩＤタグ情報と一致するかどうかを判定する（ステップ５０５）。取得したＲＦＩＤタグ情報が記憶しているＲＦＩＤタグ情報と一致するものであれば（ステップ５０５で「Ｙ」）、取得したＲＦＩＤタグ情報を装着されたピント板に関するＲＦＩＤタグ装着情報として記憶手段４に記録し（ステップ５０６）、ＲＦＩＤタグ情報検出を終了する（ステップ５０７）。制御手段１２は、記憶手段４に記憶されたピント板に関するＲＦＩＤタグ装着情報をもとに、装着されたピント板３に見合ったソフト変更を行い（ステップ５０８）、メインシーケンスに戻る。装着されたピント板３に見合ったソフト変更とは、ピント板Ａがカメラに装着された場合は、測距動作時にピント板照射手段１１によってピント板Ａに形成されるスーパーインポーズ表示用のプリズムに向けて光の照射を行い、ピント板Ｂがカメラに装着された場合は、ピント板照射手段１１によって光の照射を行わないといったソフト変更を行う。
【００２９】
一方、ピント板３がカメラから離脱したと判断された場合は（ステップ５０１で「離脱」）、記憶手段４に記憶されているピント板に関するＲＦＩＤタグ装着情報だけを削除し（ステップ５０９）、レンズユニットの着脱は検出されていないので、レンズユニットに関するＲＦＩＤタグ装着情報の削除は行わないで図３のメインシーケンスに戻る。
【００３０】
図４、図５に示したように、レンズユニットやピント板などのＲＦＩＤ装着部品の装着を直接検出可能な、レンズ装着検出ＳＷ６やピント板装着検出ＳＷ８などのＲＦＩＤタグ装着部品の装着検出スイッチをカメラボディ１に具備させることで、ＲＦＩＤタグを装着したレンズユニットやピント板に限ったＲＦＩＤタグ情報の検出、削除に特化できるようになる。
【００３１】
ＲＦＩＤタグ部品の装着直後にＲＦＩＤタグ情報検出動作が行えるので、ＲＦＩＤタグ搭載部品の着脱に即応してＲＦＩＤタグ情報読み出しができると同時に、ＲＦＩＤタグ情報検出作業に無駄が無く省電効果がある。
【００３２】
さらに、ＲＦＩＤタグ搭載部品の着脱に即応してＲＦＩＤタグ情報読み出しを行っているため、記憶手段４に記憶されるＲＦＩＤタグ装着情報と実際にカメラボディ１に装着されているＲＦＩＤ装着部品との間に食い違いが起こりえない。これにより、確実なＲＦＩＤタグ装着情報の取捨選択を行いつつ、ＲＦＩＤタグ情報に則した確実なシーケンスを実施できる。
【００３３】
さらに、ＲＦＩＤタグ情報の読み出しの起点にレリーズスイッチ１７を用いないで、レンズ装着検出ＳＷ６やピント板装着検出ＳＷ８などのＲＦＩＤタグ装着部品の装着検出スイッチを用いたことで、レリーズ動作中はＲＦＩＤタグ情報検出手段による検出を行わないようにできるため、ＲＦＩＤタグ情報検出行為によってレリーズタイムラグが発生しない。
【００３４】
さらにＲＦＩＤタグ装着部品の装着検出スイッチを用いてカメラに記憶されたＲＦＩＤタグ情報の削除が実行できる。すなわち、カメラボディ１からのＲＦＩＤタグ搭載部品が取り外されたことを検出して、記憶手段４に記憶されたＲＦＩＤタグ装着情報の削除を実行できる。本実施形態のＲＦＩＤタグ装着情報の削除方法は、ＲＦＩＤタグ情報検出手段７を用いて、検出できるＲＦＩＤタグ情報が無いことを確認することによってＲＦＩＤタグ装着情報を更新していくＲＦＩＤタグ情報の削除方法より、迅速に行える。さらに着脱されていないＲＦＩＤタグ装着部品のＲＦＩＤタグ装着情報の温存、ならびに着脱されていないＲＦＩＤタグ装着部品に関するＲＦＩＤタグ情報の読み出しは行わなくて済むようにできる。
【００３５】
さらにＲＦＩＤタグ情報取得時に、ＲＦＩＤタグ搭載部品の装着検知スイッチに変化があった部品分類だけにＲＦＩＤタグ情報読み取り対象を絞り、さらにＲＦＩＤタグ番号の分類を用いて、不要な分類に属するＲＦＩＤタグ情報に関しては、全部のＲＦＩＤタグ情報を取得しないで、必要な分類に属するＲＦＩＤタグ情報だけ全部のＲＦＩＤタグ情報を取得するようにして、制御手段１２へのＲＦＩＤタグ情報取得時間、ＲＦＩＤタグ情報入替時間の低減をはかり、ＲＦＩＤタグ情報取捨選択動作に時間をかけないようにしている。
【００３６】
上記の結果、操作性の良いカメラが実現できる。
【００３７】
図６はレリーズシーケンスである。レリーズスイッチ１７の変化が検出されると（ステップ３０７で「Ｙ」）、測距手段１４により測距動作を開始し（ステップ６０１）、被写体の測距情報を取得する（ステップ６０２）。この測距情報を基にして、レンズユニット２のレンズ駆動手段により被写体が合焦する位置にレンズを駆動させる（ステップ６０３）。記憶手段４に記憶されているＲＦＩＤタグ装着情報から現在装着されているピント板３の種類を割り出し（ステップ６０４）、ここで現在装着されているピント板がピント板Ａであれば、測距しているフォーカスエリアに対応するピント板上のスーパーインポーズ表示用のプリズムに向けてピント板照射手段１１により光を照射する（ステップ６０５）。一方、ピント板Ｂ、または記憶手段４にＲＦＩＤタグ情報が記憶されていないピント板である場合には、ピント板照射手段１１は光を照射しない（ステップ６０６）。さらに測光手段１３によって被写体の明るさ情報の検出を開始し（ステップ６０７）、さらに記憶手段４からカメラボディ１に装着されているレンズユニットの種類情報を取得して（ステップ６０８）測光値に対して補正を行う。レンズユニットＡが装着されている場合にはレンズＡに適する補正値を測光情報に加え（ステップ６０９）、レンズユニットＢが装着されている場合はレンズＢに適する補正値を測光情報に加え（ステップ６１０）、記憶手段４にＲＦＩＤタグ情報が記憶されていないレンズユニットであれば、測光情報に補正を行わないでシャッター速度や絞り値である露出値を決める（ステップ６１２）。所定時間経過後に、ピント板照射手段１１による照明が行われていれば照明を終了し（ステップ６１３）、ファインダーにレンズユニットからの被写体光を導くミラーをアップさせて（ステップ６１４）レンズユニットからの被写体光を光電変換手段である撮像素子に導くようにする。撮像素子による電荷蓄積が開始され（ステップ６１５）、シャッターが開放され（ステップ６１６）、所定時間の開放が終了するとシャッターが閉じられ（ステップ６１７）、撮像素子による電荷蓄積を終了し（ステップ６１８）、ミラーをダウンさせ（ステップ６１９）、撮影信号を撮像素子から読み出し（ステップ６２０）、撮影信号に現像圧縮処理を施した上で（ステップ６２１）、画像記録手段１０を用いて記録媒体１５へ画像記録を行い（ステップ６２２）図３のメインシーケンスに戻る。
【００３８】
以上のように本実施形態では、ＲＦＩＤタグ情報ごとに、個別のカメラシーケンスを行うようにして、カメラ装着部品ごとのより細かい最適動作化を実現させている。
【００３９】
また、本実施形態では、レンズユニットとピント板などのＲＦＩＤタグ搭載部品をカメラボディに装着する形態を開示したが、ＲＦＩＤタグ搭載部品はレンズユニットとピント板に限ったものではなく、外部ストロボや記憶媒体などＲＦＩＤタグを装着できる部品であれば何でも構わない。
【００４０】
また図２におけるＲＦＩＤ番号例は一例であり、ＲＦＩＤタグ装着部品の層別が可能な情報内容であれば形式は問わない。情報開始、又は終了を明確化するためにＲＦＩＤ番号の前にヘッダー情報や末尾にエンド情報がついていたりしてもかまわない。
【図面の簡単な説明】
【００４１】
【図１】本実施形態であるカメラシステムを表した電気ブロック図
【図２】本実施形態であるカメラシステムで用いるＲＦＩＤタグ番号表
【図３】本実施形態であるカメラシステムのメインシーケンス
【図４】本実施形態であるカメラシステムのレンズシーケンス
【図５】本実施形態であるカメラシステムのピント板シーケンス
【図６】本実施形態であるカメラシステムのレリーズシーケンス
【符号の説明】
【００４２】
１  カメラボディ
２  レンズユニット
３  ピント板
４  記憶手段
６  レンズ装着検出スイッチ
７  ＲＦＩＤタグ情報検出手段
８  ピント板装着検出スイッチ
１１  ピント板照射手段
１２  制御手段
１３  測光手段
【図１】
2006267405.tif 000003
【図２】
2006267405.tif 000004
【図３】
2006267405.tif 000005
【図４】
2006267405.tif 000006
【図５】
2006267405.tif 000007
【図６】
2006267405.tif 000008